(57)【要約】【課題】複数の物品を接近させて、且つ、複数物品の相互位置関係を簡単に所定のものとして配置することが可能である物品支持脚並びに該物品支持脚の提供を可能とするボルト台座及び該ボルト台座の安価にして簡単な製造方法を提供する。【解決手段】頂板部１と、基台スカート部２とを含み、頂板部１を基台スカート部２に被着して形成されており、頂板部１はボルト３を頂板部に立設するための複数のボルト通し孔１１を有している物品支持脚用ボルト台座１０。台座１０にボルト３を立設した物品支持脚Ａ。頂板部製作工程と、基台スカート部製作工程と、頂板部を基台スカート部に被着する工程とを含み、頂板部製作工程は、複数の被支持物品の相互位置関係に対応させて複数のボルト通し孔を該頂板部に形成する工程を含んでいるボルト台座製造方法。【選択図】    図３
2006038008.tif 000002
【特許請求の範囲】
【請求項１】
ボルト台座にボルトが立設され、該ボルトを被支持物品のボルト螺合部位に螺合させる一方、該台座を物品支持基体上に設置することで該物品を該物品支持基体上に支持する物品支持脚のためのボルト台座であって、ボルト立設用の頂板部と、基台スカート部とを含み、該頂板部を該基台スカート部に被着して形成でき、該頂板部は前記ボルトを該頂板部に立設するための複数のボルト通し孔を有していることを特徴とする物品支持脚用ボルト台座。
【請求項２】
前記頂板部に該頂板部を前記基台スカート部に位置決めする位置決め係合部が形成されているとともに該基台スカート部に該頂板部の位置決め係合部を係合させる位置決め係合部が形成されており、該頂板部はその位置決め係合部を基台スカート部の位置決め係合部に係合させた状態で該基台スカート部に被着される請求項１記載の物品支持脚用ボルト台座。
【請求項３】
前記頂板部を前記基台スカート部に被せ付けた状態で両者を相互に連結固定する手段が該頂板部及び基台スカート部の少なくとも一方に設けてある請求項１又は２記載の物品支持脚用ボルト台座。
【請求項４】
請求項１、２又は３記載の物品支持脚用ボルト台座の頂板部の各ボルト通し孔に前記ボルトの一部を挿通させる状態で該ボルトを立設した物品支持脚。
【請求項５】
請求項１、２又は３記載の物品支持脚用ボルト台座の頂板部の各ボルト通し孔に前記ボルトの一部を挿通し、該ボルトを回転可能且つ抜け止め状態に該頂板部に立設した物品支持脚。
【請求項６】
請求項１、２又は３記載の物品支持脚用ボルト台座の製造方法であり、
前記ボルト立設用の頂板部を製作する頂板部製作工程と、
前記基台スカート部を製作する基台スカート部製作工程と、
該頂板部製作工程で製作した頂板部を該基台スカート部製作工程で製作した基台スカート部に被着する工程とを含み、
前記頂板部製作工程は、支持対象の複数の被支持物品の相互位置関係に対応させて複数のボルト通し孔を該頂板部に形成する工程を含んでいることを特徴とする物品支持脚用ボルト台座の製造方法。
【発明の詳細な説明】
【技術分野】
【０００１】
本発明は工作機械、コンベア等の各種機械、本、書類等を収納するロッカーや棚類等の各種家具、各種ディスプレイ装置、テレビ、オーディオ装置等の各種電気電子機器などの物品を支持する物品支持脚用の台座、特に、ボルト台座にボルトが立設され、該ボルトを被支持物品のボルト螺合部位に螺合させる一方、該台座を物品支持基体（床等）上に設置することで該物品を該物品支持基体上に支持する物品支持脚のためのボルト台座に関し、さらに、かかるボルト台座の製造方法及び該ボルト台座にボルトを立設した物品支持脚に関する。
【背景技術】
【０００２】
ボルト台座にボルトが立設され、該ボルトを被支持物品のボルト螺合部位に螺合させる一方、該台座を物品支持基体上に設置することで該物品を該物品支持基体上に支持するタイプの物品支持脚は、特開平７−２４３４２０号公報、特開平９−８９１９１号公報等に開示されている。
【０００３】
このタイプの物品支持脚は、一本のボルトを立設したものであり、ボルト台座は、安定化のために、通常は平面から見ると円形状に形成されており、且つ、下部が頂部より裾広がり状に形成されている。
【特許文献１】特開平７−２４３４２０号公報
【特許文献２】特開平９−８９１９１号公報
【発明の開示】
【発明が解決しようとする課題】
【０００４】
ところで、物品によっては、物品同士を隣り合わせて、近づけた状態で物品支持脚で支持して配置することが望ましい場合がある。また、物品によっては、物品同士を隣り合わせて、且つ、物品同士の相互位置関係が所定のものとなるように物品支持脚で支持して配置することが望ましい場合がある。
【０００５】
例えば、店舗等で使用する棚形成のための棚枠を構成する柱部材であって、隣り合う棚枠間において互いに隣り合う位置に配置されることが望まれる柱部材同士については、使い易い棚枠の形成、店舗等床面積の効率的な利用、店舗等デザインなどの観点から、できるだけ接近させて、或いはさらに所定の相互位置関係が得られるように物品支持脚で支持して配置することが望ましい場合がある。
【０００６】
このような場合、隣り合わせて支持すべき被支持物品（例えば上記隣り合う棚枠の柱部材）のそれぞれを、従来タイプの１本のボルトを有する物品支持脚でそれぞれ支持すると、それら物品を支持する二つの物品支持脚におけるボルト台座同士が互いに接触し合う状態での両物品間の距離が両物品接近距離の限界となり、それより近距離に両物品を接近配置することができない。また、隣り合う物品同士を所定の相互位置関係で配置しようとすると、それぞれの物品を独立して支持している物品支持脚同士の相互位置関係を調整しなければならず、その作業は手間を要する。
【０００７】
そこで本発明は、ボルト台座にボルトが立設され、該ボルトを被支持物品のボルト螺合部位に螺合させる一方、該台座を物品支持基体（例えば物品設置床）上に設置することで該物品を該物品支持基体上に支持する物品支持脚のためのボルト台座であって、互いに接近させて配置しようとする複数の物品を、従来タイプの１本のボルトを有する物品支持脚で各物品を支持する場合に比べると、より接近させて配置することが可能であるとともに該複数物品の相互位置関係を簡単に所定のものとして配置することが可能である物品支持脚の提供を可能とする物品支持脚用ボルト台座を提供することを課題とする。
【０００８】
また本発明は、ボルト台座にボルトが立設され、該ボルトを被支持物品のボルト螺合部位に螺合させる一方、該台座を物品支持基体上に設置することで該物品を該物品支持基体上に支持する物品支持脚であって、互いに接近させて配置しようとする複数の物品を、従来タイプの１本のボルトを有する物品支持脚で各物品を支持する場合に比べると、より接近させて配置することが可能であるとともに該複数物品の相互位置関係を簡単に所定のものとして配置することが可能である物品支持脚を提供することを課題とする。
【０００９】
また本発明は、かかる物品支持脚用ボルト台座を、安価に簡単に製造できる方法を提供することを課題とする。
【課題を解決するための手段】
【００１０】
前記課題を解決するため本発明は次の物品支持脚用ボルト台座、物品支持脚及び物品支持脚用ボルト台座の製造方法を提供する。
（１）物品支持脚用ボルト台座及び物品支持脚
(1-1) 物品支持脚用ボルト台座
ボルト台座にボルトが立設され、該ボルトを被支持物品のボルト螺合部位に螺合させる一方、該台座を物品支持基体（物品設置床等）上に設置することで該物品を該物品支持基体上に支持する物品支持脚のためのボルト台座であって、ボルト立設用の頂板部と、基台スカート部とを含み、該頂板部を該基台スカート部に被着して形成でき、、該頂板部は前記ボルトを該頂板部に立設するための複数のボルト通し孔を有している物品支持脚用ボルト台座。
【００１１】
(1-2) 物品支持脚
前記(1-1) 記載の物品支持脚用ボルト台座の頂板部の各ボルト通し孔に前記ボルトの一部を挿通させる状態で該ボルトを立設した物品支持脚。
【００１２】
前記(1-1) のボルト台座は、その頂板部に複数のボルト通し孔が形成されており、該各ボルト通し孔を利用して該ボルト通し孔の数に相当する複数本のボルトを立設して前記(1-2) の物品支持脚を形成できる。例えば、頂板部に形成された各ボルト通し孔にボルトの一部を挿通し、該ボルトを回転可能且つ抜け止め状態に該頂板部に立設することで複数本のボルトを立設した物品支持脚を形成することができる。
【００１３】
かかるボルト台座に立設される複数本のボルトは、同じ基台スカート部に被着された同じ頂板部に互いに接近させて形成することが可能な複数のボルト通し孔を利用して立設されるから、従来のボルトを一本だけ立設した物品支持脚を互いに近づけて配置する場合のボルト間隔よりも近距離にボルトを相互に接近させて立設することが可能であり、ひいては、互いに接近させて配置しようとする複数の物品にそれらボルトをそれぞれ螺合させて該物品を支持することで、従来タイプの１本のボルトを有する物品支持脚で各物品を支持する場合よりも、それら物品を接近させて配置することが可能である。
【００１４】
ボルト台座の頂板部におけるボルト通し孔は、所定の相互位置関係で配置しようとする複数の物品の該相互位置関係に対応させて形成することができ、そうすることで、該頂板部に立設されるボルト相互の位置関係を物品相互の所定の位置関係に対応させることができ、それにより該複数物品の相互位置関係を簡単に所定のものとして支持、配置することができる。
【００１５】
このように、本発明に係るボルト台座は、互いに接近させて配置しようとする複数の物品を、従来タイプの１本のボルトを有する物品支持脚で各物品を支持する場合に比べると、より接近させて配置することが可能であるとともに該複数物品の相互位置関係を簡単に所定のものとして配置することが可能である物品支持脚の提供を可能とする。
【００１６】
また本発明に係る物品支持脚によると、互いに接近させて配置しようとする複数の物品を、従来タイプの１本のボルトを有する物品支持脚で各物品を支持する場合よりも接近させて配置することができるとともに該複数物品の相互位置関係を簡単に所定のものとして支持、配置することができる。
【００１７】
また、本発明に係るボルト台座や物品支持脚は、ボルト通し孔の相互位置関係を支持対象物品の相互位置関係に対応させて変化させなければならなくなっても該ボルト通し孔を形成する頂板部自身は同じものを使用できるので、それだけ安価に、簡単に提供できる。      
【００１８】
前記頂板部は基台スカート部に後付けで被着されるものであるから、その被着に際しての両者の相互位置決めを行う手段があることが好ましい。かかる手段を提供するために、例えば、前記頂板部に該頂板部を前記基台スカート部に位置決めする位置決め係合部が形成されているとともに該基台スカート部に該頂板部の位置決め係合部を係合させる位置決め係合部が形成されている例を挙げることができる。この場合、頂板部はその位置決め係合部を基台スカート部の位置決め係合部に係合させた状態で該基台スカート部に被着される。
【００１９】
頂板部の基台スカート部への被着に際しては、両者を接着剤で接着したり、ネジ留めするなどしてもよいが、頂板部を基台スカート部に被せ付けた状態で両者を相互に連結固定する手段を該頂板部及び基台スカート部の少なくとも一方に設けておいてもよい。かかる手段として、例えば、基台スカート部に形成された屈曲可能の爪部であって、基台スカート部に被せ付けられた頂板部上に屈曲されて該頂板部を固定するものを挙げることができる。
【００２０】
（２）物品支持脚用ボルト台座の製造方法
本発明は簡単に前記ボルト台座を製造できる方法として次の方法を提供する。
前記ボルト立設用の頂板部を製作する頂板部製作工程と、
前記基台スカート部を製作する基台スカート部製作工程と、
該頂板部製作工程で製作した頂板部を該基台スカート部製作工程で製作した基台スカート部に被着する工程とを含み、
前記頂板部製作工程は、支持対象の複数の被支持物品の相互位置関係に対応させて複数のボルト通し孔を該頂板部に形成する工程を含んでいることを特徴とする物品支持脚用ボルト台座の製造方法。
【００２１】
この方法によると、頂板部の製作や基台スカート部の製作は例えば板金のプレス加工等により簡単に製作することができ、後は頂板部を基台スカート部に被着するだけであるから、全体として簡単に物品支持脚用ボルト台座を製造することができる。
また、ボルト通し孔の相互位置関係を支持対象物品の相互位置関係に対応させて変化させなければならなくなっても該ボルト通し孔を形成する頂板部自身は同じものを使用できるので、それだけ安価に、簡単にボルト台座を提供でき、ひいては安価に、簡単に物品支持脚を提供できる。
【発明の効果】
【００２２】
以上説明したように本発明によると、ボルト台座にボルトが立設され、該ボルトを被支持物品のボルト螺合部位に螺合させる一方、該台座を物品支持基体（例えば物品設置床）上に設置することで該物品を該物品支持基体上に支持する物品支持脚のためのボルト台座であって、互いに接近させて配置しようとする複数の物品を、従来タイプの１本のボルトを有する物品支持脚で各物品を支持する場合に比べると、より接近させて配置することが可能であるとともに該複数物品の相互位置関係を簡単に所定のものとして配置することが可能である物品支持脚の提供を可能とする物品支持脚用ボルト台座を提供することができる。
【００２３】
また本発明によると、ボルト台座にボルトが立設され、該ボルトを被支持物品のボルト螺合部位に螺合させる一方、該台座を物品支持基体上に設置することで該物品を該物品支持基体上に支持する物品支持脚であって、互いに接近させて配置しようとする複数の物品を、従来タイプの１本のボルトを有する物品支持脚で各物品を支持する場合に比べると、より接近させて配置することが可能であるとともに該複数物品の相互位置関係を簡単に所定のものとして配置することが可能である物品支持脚を提供することができる。
【００２４】
また本発明によると、かかる物品支持脚用ボルト台座を、ひいては物品支持脚を安価に簡単に製造できるボルト台座の製造方法を提供することができる。
【発明を実施するための最良の形態】
【００２５】
以下本発明の実施の形態を図面を参照して説明する。
図１は本発明に係る物品支持脚用ボルト台座の１例１０の平面図であり、図２は図１のＸ−Ｘ線に沿う断面図であり、図３は該ボルト台座１０にボルト３を立設してなる物品支持脚Ａの使用例を示す図である。
【００２６】
図１及び図２に示すボルト台座１０は、ボルト立設用の頂板部１と、これを被着した基台スカート部２とからなっている。頂板部１及び基体スカート部２はいずれも平面からみると、長方形の両短辺に半円を一体的に接続したごとき形状を呈している。
【００２７】
頂板部１の中央部１２は平坦であるがそれに連なる周縁部１３は上方へ、断面形状にして円弧状に隆起しており、基台スカート部２への位置決め係合部とされている。頂板部１の中央部１２には２個のボルト通し孔１１が形成されている。
【００２８】
基台スカート部２は頂板部１の中央部１２に臨む開口２１を有しており、全体として短筒状に、且つ、安定化のために裾広がりに形成されている。基台スカート部２の開口周縁部２２は上方へ、断面形状にして円弧状に隆起しており、頂板部１に対する位置決め係合部とされている。
【００２９】
すなわち、頂板部１は、その周縁部（位置決め係合部）１３が基台スカート部２の開口周縁部（位置決め係合部）２２に嵌合係合する状態で基台スカート部２に位置決めされて被着されている。この状態において頂板部１のボルト通し孔１１は基台スカート部２の開口２１に臨んでいる。
【００３０】
基台スカート部２の位置決め係合部２２の下方には、基台スカート部を部分的に切り起こしてなる複数の爪部２３が形成されており、これは頂板部１を基台スカート部２に被せ付けた状態で両者を相互に連結固定する手段の１例である。頂板部１を基台スカート部２に被せ付けた状態で該切り起こし爪部２３を頂板部１の外周縁部上に屈曲させることで該頂板部１を基台スカート部２に固定することができ、これにより頂板部１の基台スカート部２への被着状態が得られる。
【００３１】
かかるボルト台座１０は例えば次の工程により簡単に形成することができる。すなわち(1) 頂板部１を板金のプレス加工により製作する頂板部製作工程と、
(2) 基台スカート部２を板金のプレス加工により製作する基台スカート部製作工程と、
(3) 該頂板部製作工程で製作した頂板部１を基台スカート部製作工程で製作した基台スカート部２に被着する工程とである。
頂板部製作工程には、支持対象の２個の被支持物品の相互位置関係に対応させて二つのボルト通し孔１１を形成する工程も含まれる。
【００３２】
ここでの二つのボルト通し孔１１は次のように形成されている。すなわち、図３に示す、店舗等において利用される棚を形成する棚枠４を構成するための、中空パイプからなる柱部材４１であって、隣り合う二つの棚枠４のそれぞれに属し、互いに隣り合わせに近づけて配置されるべき該隣り合う柱部材４１の相互位置関係に対応させて形成してある。
【００３３】
図３に例示するように、かかるボルト台座１０の頂板部ボルト通し孔１１のそれぞれを利用して頂板部１に２本のボルト３を立設することで、物品支持脚Ａを形成することができる。
図３に示す各ボルト３は、柱部材４１下端部に設けた雌ねじ部（ボルト螺合部位）４２に螺合させる雄ねじ部３１、該雄ねじ部の下側に連設されたレンチ係合部３２、該レンチ係合部から下方へ延びる、ボルト通し孔１１への挿通部３３及びボルト通し孔１１に挿通されて基台スカート部２内へ突出した部分に設けられる抜け止め部材３４を含んでおり、かくして頂板部１に回転可能且つ抜け止め状態に立設されている。
【００３４】
抜け止め部材３４は図示例では雌ねじ部材であり、その雌ねじを圧潰させつつボルト挿通部３３に嵌着されたものであるが、これに代えて、Ｃ形、Ｅ形等の弾性留め輪をボルト挿通部３３に嵌めてもよい。
また、ボルトの立設態様は以上説明したものに限定されるものではなく、ボルト３（例えばボルトのレンチ係合部３４）と頂板部１との間にボルト回転を円滑にするスラストベアリングを介在させる等してもよい。また、頭付きボルトを該ボルト頭を基台スカート部２内に配置し、下方からボルト通し孔１１にボルトを通し、頂板部１の上側で該ボルトにナットを螺合させてボルトに溶接固定し、これをレンチ係合部とするような態様なども採用できる。
【００３５】
図３に示す物品支持脚Ａによると、隣り合う棚枠４を構成するために隣り合わせて配置される２本の柱部材４１の雌ねじ部４２にそれぞれボルト３を螺合させ、このとき必要に応じレンチ係合部３２に適当なレンチ（まわし具）を係合させてボルトを回して螺合させ、且つ、ボルト台座１０からのボルト突出量を調整してボルト台座１０を棚枠設置床Ｆに設置することができる。かくして、隣り合う柱部材４１を床Ｆ上に支持、配置することができる。
【００３６】
かかるボルト台座１０に立設されるボルト３は、同じ基台スカート部２に被着された同じ頂板部１に互いに接近させて形成されたボルト通し孔を利用して立設されるから、従来のボルトを一本だけ立設した物品支持脚を互いに近づけて配置する場合のボルト間隔よりも近距離にボルト３を相互に接近させて立設することができ、従って、互いに接近させて配置すべき２本の柱部材４１を、それらを従来タイプの１本のボルトを有する物品支持脚でそれぞれ支持する場合よりも、互いに接近させて配置することができる。
【００３７】
また、ボルト台座１０の頂板部１におけるボルト通し孔１１は、２本の柱部材４１の所定の相互位置関係に対応させて形成してあるから、頂板部１に立設されるボルト３相互の位置関係も柱部材４１相互の所定の位置関係に対応することとなり、かくして、隣り合う柱部材４１をそれらの位置関係を簡単に所定のものとして床Ｆ上に支持、配置することができる。
【００３８】
また、ボルト台座１０や物品支持脚Ａは、ボルト通し孔１１の相互位置関係を支持対象物品の相互位置関係に対応させて変化させなければならなくなっても該ボルト通し孔を形成する頂板部１自身は同じものを使用できるので、それだけ安価に、簡単に提供できる。
【産業上の利用可能性】
【００３９】
本発明に係るボルト台座は物品支持脚の提供に用いることができ、本発明に係る物品支持脚は各種物品の支持、特に複数の物品を接近させて、所定の位置関係で支持することに利用でき、本発明に係るボルト台座製造方法はかかるボルト台座の製造に適用できる。
【図面の簡単な説明】
【００４０】
【図１】本発明に係る物品支持脚用ボルト台座の１例の平面図である。
【図２】図１のＸ−Ｘ線に沿う断面図である。
【図３】図１、図２に示すボルト台座にボルトを立設してなる物品支持脚の使用例を示す図である。
【符号の説明】
【００４１】
Ａ  物品支持脚
１０  物品支持脚用ボルト台座
１  頂板部
１１  ボルト通し孔
１２  中央部
１３  中央部に連続する周縁部（位置決め係合部）
２  基台スカート部
２１  開口
２２  開口周縁部（位置決め係合部）
２３  切り起こし爪部
３  ボルト
３１  雄ねじ部
３２  レンチ係合部
３３  ボルト通しあなへの挿通部
３４  抜け止め部材
４  棚枠
４１  柱部材
４２  雌ねじ部
Ｆ  床
【図１】
2006038008.tif 000003
【図２】
2006038008.tif 000004
【図３】
2006038008.tif 000005
【手続補正書】
【提出日】平成16年8月4日(2004.8.4)
【手続補正１】
【補正対象書類名】明細書
【補正対象項目名】００３５
【補正方法】変更
【補正の内容】
【００３５】
図３に示す物品支持脚Ａによると、隣り合う棚枠４を構成するために隣り合わせて配置される２本の柱部材４１の雌ねじ部４２にそれぞれボルト３を螺合させ、このとき必要に応じレンチ係合部３２に適当なレンチ（まわし具）を係合させてボルトを回して螺合させ、且つ、ボルト台座１０から柱部材４１までのボルト突出量、すなわち、台座１０から柱部材４１までの高さ、さらに言えば、床Ｆからの高さを調整してボルト台座１０を棚枠設置床Ｆに設置することができる。かくして、隣り合う柱部材４１を床Ｆ上に支持、配置することができる。